(57)【要約】      （修正有）【課題】紙器・ダンボール箱を打ち抜くための金属メス型を短時間で製作する方法を提供する。【解決手段】罫線形成溝３２を切断した高硬度ステンレスの金属メス型３０とそれに裏打ちするメス型バックアップステンレス板２５を溶接する。金属メス型３０は島部２９とメス型バックアップステンレス板２５のメス型位置決め穴２８を備える。【選択図】図２−２
2020108911.tif 000002
【特許請求の範囲】
【請求項１】
罫線形成溝３２を切断した高硬度ステンレスの金属メス型３０とそれに裏打ちするメス型バックアップステンレス板２５を溶接した金属メス型３０。
【請求項２】
島部２９とメス型バックアップステンレス板２５のメス型位置決め穴２８を備えた請求項１の金属メス型３０。
【請求項３】
抜型位置決め刃４４を備えた抜型４０とそれに対応するメス型位置決めマーク２７とカッティングプレート穴２４を備えた請求項１の金属メス型３０。．
【発明の詳細な説明】
【技術分野】
【０００１】  本発明は紙器・ダンボール箱を打ち抜くための抜型に関することである。金尺状の刃を曲げたものをレーザー光線で合板・金属板に切削した溝に挿入した抜型に関するものである。特に高精度と耐久性のあるサンドイッチ型のメタルダイとそれに対応するメス型の発明とその位置決めに関するものである。
【背景技術】
【０００２】  近年、図１の特許文献１にあるように打抜機にセットするプラスティックメス型３はプラスティクをミーリング加工したものが普及している。この特許はオス型、すなわち抜型４０とプラスティックメス型３を正確に位置決めするものである。プラスティックメス型３にあけたメス型位置決めピン穴３３にオス・メス型位置決めピン４３を挿入し、それに対応した抜型４０のオス型位置決めピン穴４５に挿入する。この状態で上部定盤１０を下降させると、プラスティックメス型３の裏面の両面接着剤３１が下部定盤２０の上にあるカッティングプレート２２に転写される。図１はプラスティックメス型３が転写された状態も示している。
また図１ではカッティングプレート２２の上に近年普及しているイージープレート２３があり、その上にプラスティックメス型３が転写されている状態がしめされている。イージープレート２３は約１ミリ厚の高硬度ステンレス板である。カッティングプレート２２は抜型４０の打抜刃４１の刃先が当たっても耐久性のある硬度のあるものである。たとえば市販名「ＤＰ２」が有名である。イージープレート２３はカッティングプレート２２ほど硬度はないが、靱性が強いため代替利用されている。その理由はこの方法でイージープレート２３に転写されたプラスティックメス型３は、何回も反復使用でき、再度の使用の位置決めを短時間にセットできるからである。【０００３】  しかしながら、抜型４０をチエース１２から取り外すと、次回の使用時にプラスティックメス型３との位置あわせに困難が伴う。抜型４０をチエース１２を取り出さなければ位置決めの問題は発生しない。チエース１２は共用なので異なる仕事の場合は取り出し、他の抜型４０をセットする。そこで、抜型４０とプラスティックメス型３を転写したイージープレート２３の位置合わせにもオス・メス型位置決めピン４３方式が利用されるが、イージープレート２３が重いため、正確に位置決めすることが困難である。特にイージープレート２３とプラスティックメス型３が金属製に変更されたメタルダイの場合は重量が重いために位置決めが困難である。
【先行技術文献】
【特許文献】
【０００４】
【特許文献１】ＵＳＰ４２５６０２６
【特許文献２】ＵＳＰ５０２９５０５
【特許文献３】特開平７−１７１７９５号
【特許文献４】特開平１０−１１３８９７号
【特許文献５】２００５−７４６１５号
【特許文献６】２００５−１３１７７３号
【発明の概要】
【発明が解決しようとする課題】
【０００５】  本発明は新しい金属メス型３０を提案する。耐久性のあるサンドウィッチ型のメタルダイが提案されている。たとえば特許文献２である。この特許に利用される金属メス型３０はイージープレート２３をミーリングで切削して罫線形成溝３２を製作するか、腐食方式で製作する方法である。しかしこの２つの方法は時間がかかるのである。【０００６】  本発明は新しい金属メス型３０を提案することにある。現在はイージープレート２３をミーリングしているが、短時間で金属メス型３０を製作する方法である。また抜型４０に簡単に位置決め可能な金属メス型３０を製作することである。
【発明を解決するための手段】
【０００７】  図３−１、図３−２は本発明の金属メス型３０の構成をなすものである。図３−１の金属メス型３０は厚み０．５ｍｍ−１．０ｍｍの高硬度のステンレス板である。：現在、イージープレート２３として利用されている打抜刃４１の刃先に耐える高硬度のステンレス板が最適である。図形にあわせた罫線形成溝３２をミーリングでなく、レーザー光線で切断する。特に最近利用されつつあるフィバーレーザーの切断が有効である。この板の４隅にはＬ型の切り込みメス型位置決めマーク２７を入れる。そのほか４隅には図３−２のメス型バックアップステンレス板２５と図３−１の高硬度ステンレスメス型を位置決めする共通の位置決め穴２８と、この両者を溶接する溶接穴２６が金属メス型３０に備えられている。位置決め穴２８にキーピンを挿入し、溶接穴２６に溶接トーチで照射する。溶接にはＹＡＧレーザーが最適である。この穴のエッジとメス型バックアップステンレス板２５の二者を溶接する。メス型バックアップステンレス板２５の素材は一番ポヒュラーなＳＵＳ３０４の０．５ｍｍ−１．０ｍｍ厚のものでよい。
また、金属メス型３０の場合はそれに対する抜型４０の打抜刃４１と罫線刃４２の高さは同じである。抜型４０の刃先が金属メス型３０に当たった時、板紙の厚み分だけ罫線形成溝３２に押し込まれ、板紙が伸び、罫線が形成される。
【０００８】  またデザインによっては罫線形成溝３２が矩形になり、島状の独立した島部２９を形成する場合がある。そのデザインの場合、島部２９は金属メス型３０から脱落し、罫線形成溝３２の位置が不正確になる。そこで、島部２９とメス型バックアップステンレス板２５にも共通の位置決め穴２８と、この両者を溶接する溶接穴２６が島部２９備えられている。
またメス型バックアップステンレス板２５にはカッティングプレート２２に固定するカッティングプレート穴２４が備えられている。この穴はカッティングプレート固定ボルト１４にてカッティングプレート２２に固定される。この穴口径は若干大きくなっている。それは後述の取り付け調整が可能の範囲である。
【０００９】  この発明の金属メス型３０と抜型４０を打抜機にセットする方法はそれぞれのセンター切込４６に合わせてセットする。抜型４０はチェース１２のジグにセンター切込４６を合わせてボルトを締めて上部定盤１０に固定、金属メス型３０も下部定盤２０にカッティングプレート２２とともにセンター切込４６に合わせて固定。この状態では金属メス型３０と抜型４０の位置決めは完全ではない。このまま打抜作業に入ると、抜型４０の罫線刃４２が金属メス型３０のセンターに来ていない場合がある。その結果、「片罫」または「罫割れ」などの発生が起きる。これらの調整は±１．０ｍｍの範囲内である。この誤差を０．１ｍｍ以内に収める方法が本発明の方法である。
【００１０】  打抜前に金属メス型３０の４隅のＬ型のメス型位置決めマーク２７にテープを貼る。このマークはファイバーレーザーで切断すれば０．０５−０．１０ｍｍの切断幅である。一度打抜くと、テープには抜型４０のＬ型の抜型位置決め刃４４の刃先の跡が付く。これにより、抜型４０と金属メス型３０の位置決め誤差が確認される。誤差があれば、金属メス型３０のカッティングプレート固定ボルト１４を緩め、金属メス型３０を微小移動させ、メス型位置決めマーク２７にサイドテープを貼る。そして再度打抜、完全に両者が合致するまで繰り返す。
抜型位置決め刃４４とメス型位置決めマーク２７はＬ型に限定されることなく、円弧形状また、Ｉ状でも良い、要はＸ軸とＹ軸の位置決めができる形状であればよい。
【発明の効果】
【００１１】本発明は以上の構成をなしているので、
ａ．ファイバーレーザーを利用することにより、プラスティックメス型３より金属メス型３０を高精度（０．１ｍｍ以下）の溝堀が可能になる。また、コストをプラスティックメス型３より安価に製造できる。
ｂ．ファイバーレーザーを利用することにより、プラスティックメス型３のミーリング、またイージープレート２３の直彫りミーリングより高速に生産できる。ちなみに、イージープレート２３の直彫りミーリングでは１日以上製作にかかるが、ファイバーレーザーで切断・溶接であれば３０分以内で製作できる。それにより、材料代、また製作工程の短縮により、イージープレート２３の直彫りミーリングの数分の一のコストダウンが可能になる。
ｃ．重量のある金属メス型３０の位置決めに［特許文献１］のピン方式は位置決めが正確でない。それゆえ、［特許文献３］から［特許文献６］の多種多様の複雑な工程とジグが提案されている。
【図面の簡単な説明】
【００９】
【図１】公知のプラスティックメス型３をセットした打抜機の側面図。
【図２−１】本発明の抜型４０の平面図。
【図２−２】本発明の金属メス型３０の平面図。
【図３−１】本発明の金属メス型３０のイージープレート２３の平面図。
【図３−２】本発明のメス型バックアップステンレス板２５の平面図。
【符号の説明】
【００１０】上部定盤１０
チェース１２
カッティングプレート固定ボルト１４
下部定盤２０
カッティングプレート２２
イージープレート２３
カッティングプレート穴２４
メス型バックアップステンレス板２５
溶接穴２６
メス型位置決めマーク２７
位置決め穴２８
島部２９
プラスティックメス型３
金属メス型３０
両面接着剤３１
罫線形成溝３２
メス型位置決めピン穴３３
抜型４０
打抜刃４１
罫線刃４２
オス・メス型位置決めピン４３
抜型位置決め刃４４
オス型位置決めピン穴４５
センター切込４６
【図１】
2020108911.tif 000003
【図２−１】
2020108911.tif 000004
【図２−２】
2020108911.tif 000005
【図３−１】
2020108911.tif 000006
【図３−２】
2020108911.tif 000007